(57)【要約】【課題】ゆらぎ点灯による安心感等を与えることが可能な警報器を提供する。【解決手段】ガス警報器１は、周囲環境に応じた信号を出力するガスセンサ１０と、ガスセンサ１０からの信号に基づいて周囲に異常が発生しているかを判断する異常判断部２１と、異常判断部２１により異常が発生していると判断された場合にＬＥＤ群４０を点灯制御する発光制御部２３と、予め１／ｆゆらぎの特性を持たせたゆらぎ点灯制御パターンを記憶した記憶部２２とを備えている。発光制御部２３は、異常判断部２１により異常が発生していると判断されていない場合、記憶部２２に記憶されたゆらぎ点灯制御パターンに基づいてＬＥＤ群４０を発光させる。【選択図】図２
2020027387.tif 000002
【特許請求の範囲】
【請求項１】
周囲環境に応じた信号を出力するセンサ部と、前記センサ部からの信号に基づいて周囲に異常が発生しているかを判断する異常判断部と、前記異常判断部により異常が発生していると判断された場合に発光部を点灯制御する発光制御部と、を備えた警報器であって、
予め１／ｆゆらぎの特性を持たせたゆらぎ点灯制御パターンを記憶した記憶部を備え、
前記発光制御部は、前記異常判断部により異常が発生していると判断されていない場合、前記記憶部に記憶された前記ゆらぎ点灯制御パターンに基づいて前記発光部を発光させる
ことを特徴とする警報器。
【請求項２】
前記発光制御部は、前記異常判断部により異常が発生していると判断されていない場合、前記記憶部に記憶された前記ゆらぎ点灯制御パターンに基づいて前記発光部を発光させると共に、周囲温度が第１所定温度以上である場合に前記発光部を寒色系の色で発光させ、周囲温度が前記第１所定温度以下となる第２所定温度未満である場合に前記発光部を暖色系の色で発光させる
ことを特徴とする請求項１に記載の警報器。
【請求項３】
前記記憶部は、１／ｆゆらぎの特性を持たない点灯又は点滅を行う警報制御パターンを記憶し、
前記発光制御部は、前記異常判断部により異常が発生していると判断されていない場合、前記記憶部に記憶されたゆらぎ点灯制御パターンに基づいて前記発光部を発光させ、前記異常判断部により異常が発生していると判断された場合、前記記憶部に記憶された警報制御パターンに基づいて前記発光部を発光させる
ことを特徴とする請求項１又は請求項２のいずれかに記載の警報器。
【発明の詳細な説明】
【技術分野】
【０００１】
本発明は、警報器に関する。
【背景技術】
【０００２】
従来、１／ｆゆらぎ信号を用いた点灯方式が知られている（例えば特許文献１〜３参照）。このようなゆらぎ信号を用いた点灯は蝋燭の炎等に似た光を表現できることから、人に対して安心感や安らぎ感を与えることができる。
【先行技術文献】
【特許文献】
【０００３】
【特許文献１】特開２００７−９９１０９号公報
【特許文献２】特開平１１−２８８７８８号公報
【特許文献３】特開２００９−１２３４５２号公報
【発明の概要】
【発明が解決しようとする課題】
【０００４】
しかし、特許文献１〜３に記載のゆらぎ点灯については、人に安心感や安らぎ感を与えるものであることから、警報器のように緊迫感をもって異常状態を報知するものには適していない。
【０００５】
本発明はこのような従来の課題を解決するためになされたものであり、その発明の目的とするところは、ゆらぎ点灯による安心感等を与えることが可能な警報器を提供することにある。
【課題を解決するための手段】
【０００６】
本発明の警報器は、周囲環境に応じた信号を出力するセンサ部と、センサ部からの信号に基づいて周囲に異常が発生しているかを判断する異常判断部と、異常判断部により異常が発生していると判断された場合に発光部を点灯制御する発光制御部と、予め１／ｆゆらぎの特性を持たせたゆらぎ点灯制御パターンを記憶した記憶部と、を備えている。発光制御部は、異常判断部により異常が発生していると判断されていない場合、記憶部に記憶されたゆらぎ点灯制御パターンに基づいて発光部を発光させる。
【０００７】
この警報器によれば、異常が発生していると判断されていない場合にゆらぎ点灯制御パターンに基づいて発光部を発光させるため、例えば警報器を常夜灯として用いたい場合には、常夜灯として点灯する光がゆらぎ特性を有したものとなり、警報時における発光部の発光状態に支障なく、ゆらぎ点灯による安心感等を与えることが可能な警報器を提供することができる。
【発明の効果】
【０００８】
本発明によれば、ゆらぎ点灯による安心感等を与えることが可能な警報器を提供することができる。
【図面の簡単な説明】
【０００９】
【図１】本発明の実施形態に係るガス警報器の外観構成図を示す斜視図である。
【図２】図１に示すガス警報器のブロック図である。
【図３】非警報制御パターンの例を示す図であり、（ａ）は低輝度の制御パターンを示し、（ｂ）は高輝度の制御パターンを示し、（ｃ）はゆらぎ点灯制御パターンの第１の例を示し、（ｄ）はゆらぎ点灯制御パターンの第２の例を示している。
【図４】本実施形態に係るガス警報器の動作を示す第１のフローチャートである。
【図５】本実施形態に係るガス警報器の動作を示す第２のフローチャートである。
【発明を実施するための形態】
【００１０】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１１】
さらに、以下において警報器は、ＬＰガス向けや都市ガス向けのガス警報器（ＣＯ警報機能を含む）を例に説明するが、これに限らず、火災警報器や人感警報器などであってもよいし、２つ以上の警報器の機能を組み合わせたタイプのもの（例えばガス火災警報器）であってもよい。さらには、コンセント式の警報器であってもよいし、電池式の警報器であってもよい。加えて、警報器は、他の警報器と連動して動作する機能を有するものであってもよい。
【００１２】
図１は、本発明の実施形態に係るガス警報器の外観構成図を示す斜視図であり、図２は、図１に示すガス警報器のブロック図である。図１及び図２に示すように、ガス警報器１は、図２に示すガスセンサ（センサ部）１０、ＣＰＵ２０、ブザー３０、ＬＥＤ（Light Emitting Diode）群（発光部）４０、及びスイッチ５０を備えるものであり、これらが図１に示す樹脂ケースである筐体２に覆われた構造となっている。
【００１３】
筐体２は、前面側の上ケース２ａと背面側の下ケース２ｂとからなり、これらの内部に上記した各種構成が収納されている。このような筐体２には、前面側である上ケース２ａに、ガスセンサ１０を内部に備えた検出部３と、警報音声出力用のブザー３０を内部に備えた報知部４とが形成されると共に、ＬＥＤ群４０及びスイッチ５０を内部に備えたカバースイッチ５が設けられている。
【００１４】
検出部３内のガスセンサ１０は、周囲に検出対象となるガスが存在する場合にその濃度に応じた信号（周囲環境に応じた信号の一例）を出力するものである。また、検出部３は、作業員によるガス警報器１の点検を行うためにガスを噴き付けるための点検口３ａを有している。
【００１５】
ＣＰＵ２０は、ガス警報器１の全体を制御するものであり、異常判断部２１を備えている。異常判断部２１は、ガス漏れや一酸化炭素の高濃度異常が発生していると判断された場合（周囲に異常が発生していると判断された場合の一例）に、その旨の制御を行うものである。
【００１６】
報知部４内のブザー３０は、異常判断部２１により異常が発生していると判断された場合に、警報音声を出力するものである。なお、ガス警報器１は、ブザー３０に代えてスピーカを備えていてもよい。警報音声はスイッチ５０の操作（所定時間以内の短押し）によって停止する。
【００１７】
ＬＥＤ群４０は、図１に示した透明色又は白色系の樹脂によって構成されたカバースイッチ５の裏面側に設けられている。ＬＥＤ群４０は、複数のＬＥＤ４１〜４３によって構成されており、異常判断部２１により異常が発生していると判断された場合に発光することで、前面側のカバースイッチ５を通じて警報表示を行うものである。本実施形態においてＬＥＤ群４０は、暖色系に発光可能な暖色系ＬＥＤ４１、寒色系に発光可能な寒色系ＬＥＤ４２、及び白色に発光可能な白色ＬＥＤ４３を備えている。本実施形態において暖色系ＬＥＤ４１は赤色や橙色系統の色に発光可能であって、例えば色温度３８００Ｋ以下の色で発光するものである。また、寒色系ＬＥＤ４２は青色系等の色に発光可能であって、例えば色温度７０００Ｋ以上の色で発光するものをいう。なお、白色ＬＥＤ４３は、例えば色温度が３８００Ｋを超え７０００Ｋ未満の色で発光するものをいう。
【００１８】
スイッチ５０は、カバースイッチ５の裏面側においてＬＥＤ群４０に隣接して設けられている。このスイッチ５０は、押圧式のスイッチによって構成されており、ユーザによりカバースイッチ５が押圧操作されることで操作されるようになっている。
【００１９】
また、ＣＰＵ２０は、記憶部２２と発光制御部２３とを備えている。記憶部２２は、ＬＥＤ群４０の発光状態を制御するための制御パターンを記憶したものである。発光制御部２３は、記憶部２２に記憶されている制御パターンに基づいて、ＬＥＤ群４０を発光制御する。
【００２０】
ここで、本実施形態において記憶部２２は、警報制御パターンと、非警報制御パターンとを記憶している。警報制御パターンは、ガス警報器１がユーザに異常状態を知らせるときの発光状態を示す制御パターンである。発光制御部２３は、異常判断部２１により異常が発生していると判断された場合、警報制御パターンに基づいてＬＥＤ群４０の発光状態を制御する。なお、警報制御パターンは、ユーザに緊迫感を持って異常を知らせるために、１／ｆゆらぎの特性を持たない（例えばパワースペクトル＝１／ｆｎにおいてｎ＝０とする）点灯又は点滅を行うパターンとなっている。
【００２１】
非警報制御パターンは、周囲に異常が発生していないときのＬＥＤ群４０の発光状態を制御するための制御パターンである。本実施形態に係るガス警報器１は、周囲に異常が発生していない場合に、常夜灯や非常灯として機能するようになっている。よって、非警報制御パターンは、常夜灯や非常灯として用いられるときの制御パターンであるといえる。発光制御部２３は、異常判断部２１により異常が発生していないと判断された場合、非警報制御パターンに基づいてＬＥＤ群４０の発光状態を制御する。本実施形態において非警報制御パターンは、低輝度、中輝度、高輝度、ゆらぎ、及び消灯の５つの制御パターンとなっている。このため、発光制御部２３は、５つのパターンのいずれか１つに基づいて、ＬＥＤ群４０の発光状態を制御する。
【００２２】
図３は、非警報制御パターンの例を示す図であり、（ａ）は低輝度の制御パターンを示し、（ｂ）は高輝度の制御パターンを示し、（ｃ）はゆらぎ点灯制御パターンの第１の例を示し、（ｄ）はゆらぎ点灯制御パターンの第２の例を示している。
【００２３】
図３（ａ）〜（ｄ）に示すように、制御パターンは、ＬＥＤ群４０を構成する複数のＬＥＤ４１〜４３のうち発光対象となるものに対して行う通電状態を示すものであり、発光制御部２３は、これらの制御パターンに従って通電制御を実行する。
【００２４】
詳細に説明すると、図３（ａ）及び図３（ｂ）に示す低輝度及び高輝度の制御パターンは、通電状態のオンオフを交互に繰り返すＰＷＭ（Pulse Width Modulation）の制御パターンとなっている。また、図３（ａ）に示す低輝度制御パターンは、図３（ｂ）に示す高輝度制御パターンよりもオン時間が短くされており、発光対象となるＬＥＤ（例えば白色ＬＥＤ４３）の輝度が低くなるようにされている。
【００２５】
図３（ｃ）及び図３（ｄ）に示すゆらぎ点灯制御パターンは、予め１／ｆゆらぎ特性をもたせた制御パターンとなっている。１／ｆゆらぎ特性をもたせた制御パターンとは、ＬＥＤ群４０の発光について１／ｆゆらぎを実現するための制御パターンである。このようなゆらぎ点灯制御パターンは、複数の正弦波の集合から構成されており、フーリエ変換等の分解時において、各正弦波の周波数とパワースペクトルとが略１／ｆの関係を有するようになっている。本実施形態において各正弦波はパワースペクトル＝１／ｆｎ（０．５≦ｎ≦１．５）の関係を有すればよく、変数ｎについては０．５程度の幅を持たせている。なお、図３（ｃ）に示すゆらぎ点灯制御パターンは１周期の制御パターンであり、図３（ｄ）に示すゆらぎ点灯制御パターンは多周期の制御パターンである。
【００２６】
記憶部２２は、このような制御パターンを記憶している。発光制御部２３は、記憶部２２に記憶される制御パターンに従ってＬＥＤ群４０の発光状態を制御することとなる。なお、図示を省略したが、中輝度制御パターンについては、オン時間が図３（ａ）に示すものと図３（ｂ）に示すものとの中間とされたものである。また、消灯制御パターンについては、オン時間がゼロとされたものである。
【００２７】
さらに、本実施形態においては、ＣＰＵ２０は、スイッチ５０の操作を通じて、５つの非警報制御パターンを選択可能となっている。ＣＰＵ２０は、例えばスイッチ５０の操作を検出する毎に制御パターンを変更するようになっており、低輝度制御パターン、中輝度制御パターン、高輝度制御パターン、ゆらぎ点灯制御パターン、消灯制御パターン及び低輝度制御パターンの順に変更する。
【００２８】
ここで、ガス警報器１（特に都市ガス警報器）には、電源投入後の所定時間（例えば３０秒）がガスセンサ１０の出力の安定待ち時間となっており、この時間はブザー３０による鳴動が防止された鳴動防止期間とされている。非警報制御パターンについては、この期間におけるスイッチ５０の操作を通じて変更される。これにより、通常使用時（異常状態の監視状態）において不用意に制御パターンが変更されてしまうことを防止しつつ、ユーザ側で常夜灯や非常灯として用いるときの発光状態を決定することができる。
【００２９】
さらに、本実施形態においてガス警報器１は、図２に示すように温度センサ６０を備えている。温度センサ６０は周囲温度を検出するものである。本実施形態においてＣＰＵ２０の発光制御部２３は、温度センサ６０からの信号に応じて複数のＬＥＤ４１〜４３のうち発光するものを決定するようになっている。具体的に発光制御部２３は、ゆらぎ点灯制御パターンが選択されている場合において、周囲温度が所定温度（第１所定温度の一例）以上であるとき、寒色系ＬＥＤ４２を発光させるようになっている。すなわち、寒色系の色で１／ｆゆらぎを行うようになっている。また、発光制御部２３は、ゆらぎ点灯制御パターンが選択されている場合において、周囲温度が所定温度（第１所定温度以下となる第２所定温度の一例）未満であるとき、暖色系ＬＥＤ４１を発光させるようになっている。すなわち、暖色系の色で１／ｆゆらぎを行うようになっている。
【００３０】
ここで、１／ｆゆらぎは、本来的にユーザに安らぎ感等を与えることが目的で行われるものである。しかし、暖かいときに暖色系の色で１／ｆゆらぎを実現した場合、暖色系の発光によってユーザに不快感を与える可能性がある。寒いときの寒色系も同様である。そこで、上記のように所定温度以上であるときに寒色系ＬＥＤ４２を発光させ、所定温度未満であるときに暖色系ＬＥＤ４１を発光させることで、上記の不快感を与えてしまうことを防止することができる。
【００３１】
なお、発光制御部２３は、ゆらぎ点灯制御パターンが選択されている場合において、温度センサ６０からの信号に基づいて複数のＬＥＤ４１〜４３のうち発光するものを決定していた。しかし、これに限らず、発光制御部２３は、低輝度制御パターン等の他の非警報制御パターンが選択されている場合において、温度センサ６０からの信号に基づいて複数のＬＥＤ４１〜４３のうち発光するものを決定してもよい。
【００３２】
次に、本実施形態に係るガス警報器１の動作を説明する。図４は、本実施形態に係るガス警報器１の動作を示す第１のフローチャートである。なお、図４に示す処理は電力供給がなくなるまで繰り返し実行される。
【００３３】
まず、図４に示すように、異常判断部２１は、周囲に異常が発生したかを判断する（Ｓ１）。異常判断部２１により周囲に異常が発生していると判断された場合（Ｓ１：ＹＥＳ）、ＣＰＵ２０はブザー３０から警報音声を出力すると共に、発光制御部２３は、記憶部２２に記憶される警報制御パターンに従って、ＬＥＤ群４０を発光させる（Ｓ２）。その後、図４に示す処理は終了する。
【００３４】
一方、異常判断部２１により周囲に異常が発生していないと判断された場合（Ｓ１：ＮＯ）、ＣＰＵ２０は、ゆらぎ点灯制御パターンが選択されているかを判断する（Ｓ３）。ＣＰＵ２０によりゆらぎ点灯制御パターンが選択されていないと判断された場合（Ｓ３：ＮＯ）、発光制御部２３は、選択されている制御パターン（具体的には、低輝度、中輝度、高輝度及び消灯の制御パターン）に基づいて発光状態を制御する（Ｓ４）。その後、図４に示す処理は終了する。
【００３５】
ＣＰＵ２０によりゆらぎ点灯制御パターンが選択されていると判断された場合（Ｓ３：ＹＥＳ）、発光制御部２３は、周囲温度が所定温度以上であるかを判断する（Ｓ５）。発光制御部２３は、所定温度以上であると判断した場合（Ｓ５：ＹＥＳ）、選択されているゆらぎ点灯制御パターンに基づいて寒色系ＬＥＤ４２を発光させる（Ｓ６）。その後、図４に示す処理は終了する。
【００３６】
一方、発光制御部２３は、所定温度以上でないと判断した場合（Ｓ５：ＮＯ）、選択されているゆらぎ点灯制御パターンに基づいて暖色系ＬＥＤ４１を発光させる（Ｓ７）。その後、図４に示す処理は終了する。
【００３７】
図５は、本実施形態に係るガス警報器１の動作を示す第２のフローチャートである。なお、図５に示す処理についても図４に示す処理と同様に電力供給がなくなるまで繰り返し実行される。
【００３８】
まず、図５に示すように、ＣＰＵ２０は、スイッチ５０への操作があったかを判断する（Ｓ１１）。ＣＰＵ２０によりスイッチ５０への操作がなかったと判断された場合（Ｓ１１：ＮＯ）、図５に示す処理は終了する。
【００３９】
ＣＰＵ２０によりスイッチ５０への操作があったと判断された場合（Ｓ１１：ＹＥＳ）、ＣＰＵ２０は、初期の鳴動防止期間中であるかを判断する（Ｓ１２）。ＣＰＵ２０により初期の鳴動防止期間中でないと判断された場合（Ｓ１２：ＮＯ）、図５に示す処理は終了する。
【００４０】
一方、ＣＰＵ２０により初期の鳴動防止期間中であると判断された場合（Ｓ１２：ＹＥＳ）、ＣＰＵ２０は、選択されている制御パターンを変更する（Ｓ１３）。例えば、ＣＰＵ２０は、スイッチ５０が１回操作される毎に、選択されている制御パターンを１つ、低輝度、中輝度、高輝度、ゆらぎ、及び消灯の順に変更する。その後、図５に示す処理は終了する。
【００４１】
このようにして、本実施形態に係るガス警報器１によれば、異常が発生していると判断されていない場合にゆらぎ点灯制御パターンに基づいてＬＥＤ群４０を発光させるため、例えばガス警報器１を常夜灯として用いたい場合には、常夜灯として点灯する光がゆらぎ特性を有したものとなり、警報時におけるＬＥＤ群４０の発光状態に支障なく、ゆらぎ点灯による安心感等を与えることが可能な警報器を提供することができる。
【００４２】
また、周囲温度が所定温度以上である場合にＬＥＤ群４０を寒色系の色で発光させ、周囲温度が所定温度未満である場合にＬＥＤ群４０を暖色系の色で発光させるため、例えば寒い時に寒色系の光が出力されて、安らぎ感等を与える目的のゆらぎ特性を有した光によって不快感を与えてしまう可能性を低減することができる。
【００４３】
また、異常が発生していると判断された場合、１／ｆゆらぎの特性を持たない制御パターンに基づいてＬＥＤ群４０を発光させるため、異常発生時には緊迫感を有した発光を行うことができ、１／ｆゆらぎ特性の点灯に基づく警報機能の低下を防止することができる。
【００４４】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。
【００４５】
例えば、上記実施形態においてはガス警報器１を例に説明したが、これに限らず、火災警報器などの他の警報器であってもよい。また、本実施形態に係るガス警報器１は、常夜灯のみならず、非常灯として用いられる場合についても想定している。特に、非常灯として用いられる場合には、災害時等において不安を感じているユーザに安心感を与えることができる。
【００４６】
また、上記実施形態においてガス警報器１は、異常が発生していない場合、常夜灯や非常灯として発光するようになっているが、異常が発生しておらず更に所定条件を満たす場合に発光するようになっていてもよい。例えば、ガス警報器１は、照度センサを備え、検知対象ガスの高濃度異常が発生しておらず、且つ、周囲照度が所定照度以下である場合に、常夜灯として発光するようになっていることが好ましい。また、ガス警報器１の設置角度を検出する加速度センサや、震度を検出する感震器等を備え、これらの信号から非常状態であることを検出し、且つ、検知対象ガスの高濃度異常が発生していないと判断した場合に、非常灯として発光するようになっていることが好ましい。
【符号の説明】
【００４７】
１          ：ガス警報器（警報器）
２          ：筐体
２ａ        ：上ケース
２ｂ        ：下ケース
３          ：検出部
３ａ        ：点検口
４          ：報知部
５          ：カバースイッチ
１０        ：ガスセンサ（センサ部）
２０        ：ＣＰＵ
２１        ：異常判断部
２２        ：記憶部
２３        ：発光制御部
３０        ：ブザー
４０        ：ＬＥＤ群（発光部）
４１        ：暖色系ＬＥＤ
４２        ：寒色系ＬＥＤ
４３        ：白色ＬＥＤ
５０        ：スイッチ
６０        ：温度センサ
【図１】
2020027387.tif 000003
【図２】
2020027387.tif 000004
【図３】
2020027387.tif 000005
【図４】
2020027387.tif 000006
【図５】
2020027387.tif 000007